(57)【要約】【課題】成形品の良否判定のための単位空間情報の設定を行う。【解決手段】本技術における演算処理装置は、監視開始時点を特定し、前記監視開始時点から所定期間を第１監視期間として設定する第１期間設定部と、指定された分割数に基づいて、前記第１監視期間を複数の第２監視期間に分割する第２期間設定部と、計測時点における良品製造時の前記検出信号と、前記第２監視期間の各々において経過時間に応じて設定された係数とを用いた積和演算を行う積和演算部と、前記第２監視期間における成形品の監視処理に用いる単位空間情報を、前記積和演算で求めた値を用いて設定する単位空間情報設定部と、を備える。【選択図】図７
2019059083.tif 000002
【特許請求の範囲】
【請求項１】
射出成形装置に備えられたセンサから検出され監視装置に入力される１又は複数の計測項目における検出信号に基づく積分値を用いて、良品判定のための単位空間情報を生成する演算処理装置であって、
監視開始時点を特定し、前記監視開始時点から所定期間を第１監視期間として設定する第１期間設定部と、
指定された分割数に基づいて、前記第１監視期間を複数の第２監視期間に分割する第２期間設定部と、
計測時点における良品製造時の前記検出信号と、前記第２監視期間の各々において経過時間に応じて設定された係数とを用いた積和演算を行う積和演算部と、
前記第２監視期間における成形品の監視処理に用いる単位空間情報を、前記積和演算で求めた値を用いて設定する単位空間情報設定部と、
を備える演算処理装置。
【請求項２】
前記係数の値は、前記第２監視期間内での時間の経過に伴い大きくなる値とする
請求項１に記載の演算処理装置。
【請求項３】
前記単位空間情報はマハラノビス距離を２乗した値を算出するために用いられる情報である
請求項１又は請求項２に記載の演算処理装置。
【請求項４】
前記第１期間設定部は、ゲートシール期間を前記第１監視期間として設定する
請求項１乃至請求項３の何れかに記載の演算処理装置。
【請求項５】
前記第１期間設定部は、設定された所定の閾値に前記検出信号が到達した時点を用いて前記監視開始時点を特定する
請求項１乃至請求項４の何れかに記載の演算処理装置。
【請求項６】
前記第１期間設定部は、設定された所定の閾値に前記検出信号が到達した時点よりも所定時間前の時点を前記監視開始時点として特定する
請求項５に記載の演算処理装置。  
【請求項７】
射出成形装置に備えられたセンサから検出され監視装置に入力される１又は複数の計測項目における検出信号に基づく積分値を用いて、良品判定のための単位空間情報を生成する演算処理装置が、
監視開始時点を特定し、前記監視開始時点から所定期間を第１監視期間として設定する第１期間設定処理と、
指定された分割数に基づいて、前記第１監視期間を複数の第２監視期間に分割する第２期間設定処理と、
計測時点における良品製造時の前記検出信号と、前記第２監視期間の各々において経過時間に応じて設定された係数とを用いた積和演算を行う積和演算処理と、
前記第２監視期間における成形品の監視処理に用いる単位空間情報を、前記積和演算で求めた値を用いて設定する単位空間情報設定処理と、
を実行するための演算方法。
【請求項８】
射出成形装置に備えられたセンサから検出され監視装置に入力される１又は複数の計測項目における検出信号に基づく積分値を用いて、良品判定のための単位空間情報を生成する演算処理装置に、
監視開始時点を特定し、前記監視開始時点から所定期間を第１監視期間として設定する第１期間設定処理と、
指定された分割数に基づいて、前記第１監視期間を複数の第２監視期間に分割する第２期間設定処理と、
計測時点における良品製造時の前記検出信号と、前記第２監視期間の各々において経過時間に応じて設定された係数とを用いた積和演算を行う積和演算処理と、
前記第２監視期間における成形品の監視処理に用いる単位空間情報を、前記積和演算で求めた値を用いて設定する単位空間情報設定処理と、
を実行させるためのプログラム。
【発明の詳細な説明】
【技術分野】
【０００１】
本技術は、演算処理装置、演算処理装置の演算方法及びプログラムに関する。詳しくは、射出成形装置により製造される成形品の良品判定のための基準情報を生成する技術分野に関する。
【背景技術】
【０００２】
射出成形装置に設置したセンサと監視装置とを有して構成される射出成形品質モニタリングシステムが知られている。射出成形品質モニタリングシステムは、射出成形装置に設けられた金型内における樹脂等の成形材料の挙動を上記センサにより検出し、波形としてパーソナルコンピュータ等の情報処理装置にリアルタイム出力可能とされている。射出成形品質モニタリングシステムでは、センサの検出信号に基づく計測値を監視し、不良品の識別を行うことが可能となる。射出成形品質モニタリングシステムとしては、例えば特許文献１に記載のものがある。
【先行技術文献】
【特許文献】
【０００３】
【特許文献１】特開２００８−３６９７５号公報
【発明の概要】
【発明が解決しようとする課題】
【０００４】
特許文献１には、射出成形装置に設けられたセンサ（ロードセル）がキャビティ内の樹脂の圧力を検出し、該センサの検出信号をアンプ装置によりサンプリングする技術が開示されている。
【０００５】
このような射出成形品質モニタリングシステムを用いて不良品の識別を行うにあたり、ユーザは自身の判断で監視対象となる監視期間及び監視タイミングを設定する必要があった。そのため、射出成形品質モニタリングシステムについてある程度の経験がないと、不良品の識別を行うのに適した監視期間及び監視タイミングを設定することが難しい場合があった。
また射出成形品質モニタリングシステムを用いた不良品の識別については、より精度の高い判別手法の提供が望まれている。
【０００６】
そこで本技術は、射出成形品質モニタリングシステムについて、経験の浅いユーザであっても容易に監視期間及び監視タイミングを設定することができ、成形品の良品判定を行うことができる機能を提供することを目的とする。
【課題を解決するための手段】
【０００７】
本技術に係る演算処理装置は、射出成形装置に備えられたセンサから検出され監視装置に入力される１又は複数の計測項目における検出信号に基づく積分値を用いて、良品判定のための単位空間情報を生成する演算処理装置であって、監視開始時点を特定し、前記監視開始時点から所定期間を第１監視期間として設定する第１期間設定部と、指定された分割数に基づいて、前記第１監視期間を複数の第２監視期間に分割する第２期間設定部と、計測時点における良品製造時の前記検出信号と、前記第２監視期間の各々において経過時間に応じて設定された係数とを用いた積和演算を行う積和演算部と、前記第２監視期間における成形品の監視処理に用いる単位空間情報を、前記積和演算で求めた値を用いて設定する単位空間情報設定部と、を備えるものである。
即ち、計測項目の検出信号と時間を用いた積和演算を行う際に、第２監視期間毎に経過時間に応じて設定された係数を用いることで、経過時間毎の積和値に重み付けが行われる。
積和演算とは、乗算の結果を順次加算して積和値を算出するための演算である。
【０００８】
上記した本技術に係る演算処理装置において、前記係数の値は、前記第２監視期間内での時間の経過に伴い大きくなる値とすることが考えられる。
これにより、第２監視期間内での所定期間ごとの積和値の算出にあたり、異なる係数を用いた重み付けが行われる。
【０００９】
上記した本技術に係る演算処理装置において、前記単位空間情報はマハラノビス距離を２乗した値を算出するために用いられる情報であることが考えられる。
即ち、単位の異なる多次元の各計測項目の値を、共通の一次元としての単位に置き換えるための単位空間情報を設定する。
【００１０】
上記した本技術に係る演算処理装置において、前記第１期間設定部は、ゲートシール期間を前記第１監視期間として設定することが考えられる。
成形品の良否判定のために用いる検出信号を金型内の樹脂圧力とした場合等においては、監視タイミングはゲートシール期間中に設定することが望ましい。なぜなら、ゲートシール期間は、金型内に充填された樹脂が固化するまでの期間であるため、成形品の品質の評価に有用な部分であるが、固化した後に期間については、あまり意味がない場合があるためである。
【００１１】
上記した本技術に係る演算処理装置において、前記第１期間設定部は、設定された所定の閾値に前記検出信号が到達した時点を用いて前記監視開始時点を特定することが考えられる。
圧力センサの検出信号を考えると、その立ち上がりタイミングは、金型内に成形材料が充満した直後のタイミングとなる。そこで当該立ち上がりのタイミングを監視開始時点として特定する。
【００１２】
上記した本技術に係る演算処理装置において、前記第１期間設定部は、設定された所定の閾値に前記検出信号が到達した時点よりも所定時間前の時点を前記監視開始時点として特定することが考えられる。
キャビティに樹脂材料が充満した直後のタイミングは、検出した値の単位時間あたりの立ち上がりの幅が大きい。そのため、樹脂材料が充満されたタイミングをある程度正確に検出することができる。
【００１３】
本技術に係る演算処理装置の演算方法は、射出成形装置に備えられたセンサから検出され監視装置に入力される１又は複数の計測項目における検出信号に基づく積分値を用いて、良品判定のための単位空間情報を生成する演算処理装置が、監視開始時点を特定し、前記監視開始時点から所定期間を第１監視期間として設定する第１期間設定処理と、指定された分割数に基づいて、前記第１監視期間を複数の第２監視期間に分割する第２期間設定処理と、計測時点における良品製造時の前記検出信号と、前記第２監視期間の各々において経過時間に応じて設定された係数とを用いた積和演算を行う積和演算処理と、前記第２監視期間における成形品の監視処理に用いる単位空間情報を、前記積和演算により求めた値を用いて設定する単位空間情報設定処理と、を実行するための演算方法である。
本技術に係るプログラムは、上記各処理を演算処理装置に実行させるプログラムである。
【発明の効果】
【００１４】
本技術によれば、射出成形装置により製造した成形品の良否判定のために用いられる単位空間情報の設定を行うことができる。
【図面の簡単な説明】
【００１５】
【図１】実施の形態の品質モニタリングシステムの説明図である。
【図２】実施の形態の管理ソフトウェアによる表示画面の説明図である。
【図３】実施の形態の監視装置の構成の説明図である。
【図４】実施の形態のコンピュータ装置の構成の説明図である。
【図５】実施の形態の計測された波形データの説明図である。
【図６】実施の形態の積和演算についての説明図である。
【図７】実施の形態の単位空間情報設定処理のフローチャートである。
【図８】実施の形態の良品判定に用いるデータの説明図である。
【図９】実施の形態の量産監視処理のフローチャートである。
【発明を実施するための形態】
【００１６】
以下、実施の形態を次の順序で説明する。
＜１．品質モニタリングシステムの構成＞
＜２．監視装置の構成＞
＜３．コンピュータ装置の構成＞
＜４．品質モニタリングシステムの概要＞
＜５．単位空間設定処理＞
＜６．量産監視処理＞
＜７．まとめ及び変形例＞
＜８．プログラム及び記憶媒体＞
【００１７】
＜１．品質モニタリングシステムの構成＞
以下、本発明に係る実施の形態について説明する。まず本発明の実施の形態となる監視装置１と射出成形装置２とパーソナルコンピュータ４とを含む射出成形品質モニタリングシステム１００（単に「品質モニタリングシステム１００」とも表記する）について説明する。
図１は品質モニタリングシステム１００の構成概要を示した図である。
図示するように品質モニタリングシステム１００は、監視装置１、射出成形装置２、専用アンプ３、パーソナルコンピュータ４（以下「コンピュータ装置４」とも表記する）を備えている。
【００１８】
射出成形装置２は、所定位置に配置される金型１０と、金型１０に対して樹脂材料を射出充填するための機構を備えた射出部１１と、射出部１１の射出動作や金型１０の開閉動作等を制御して一連の射出成形動作を実行制御する成形制御部１２を有して構成されている。
【００１９】
金型１０は、例えば上型、下型が配置され、例えば成形ステージ内に配置された下型に対して射出部１１に設けられた機構によって上型が開閉される。上型が下型に対して閉じられた状態で、例えば上型に設けられたゲートに対し、射出部１１の射出シリンダによって樹脂材料が注入され、金型１０内のキャビティに樹脂材料が充填される。そして充填後、所要の時間が経過したら上型が開放され、キャビティから樹脂成形品が取り出される。
金型１０内には金型内センサ３１が配置されている。例えば充填された樹脂材料の温度を検出する温度センサや、樹脂材料の圧力を検出する圧力センサなどである。
金型１０の構造、種別については特に限定されずに各種のものが想定される。
【００２０】
射出部１１には、金型１０に対する樹脂材料の注入機構、型締め機構、射出シリンダ機構、射出モータ等、射出成形に必要な機構が設けられている。
また射出部１１には射出部内センサ３２及びセンサ用アンプ３３が設けられている。射出部内センサ３２としては、注入過程の樹脂材料の温度を検出する温度センサや、圧力を検出する圧力センサ、注入速度を算出する位置センサなどがある。
本実施の形態では射出部１１の機構、構造、例えばシリンダ構造、型締め機構の構造、ランナー構造、ノズル構造、ヒーター配置、モータ配置、材料投入機構などは特に限定されず、どのような構造／種別のものでもよい。
【００２１】
成形制御部１２は、例えばＲＯＭ（Read Only Memory）、ＲＡＭ（Random Access Memory）、ＣＰＵ（Central Processing Unit）を有するマイクロコンピュータを備えて構成されている。
成形制御部１２は、射出部１１による各部の駆動制御を行う。例えば射出モータ制御、金型ステージ動作制御、金型開閉機構の動作制御、ノズル開閉機構の動作制御、ヒーター制御、材料投入動作制御などを行う。これによって一連の射出成形動作を実行させる。
【００２２】
金型内センサ３１の検出信号Ｓ１は、例えば射出成形装置２とは別体に配置された専用アンプ３により電圧値に変換される。そして電圧信号に変換された検出信号Ｖｓ１として監視装置１に供給される。
射出部内センサ３２の検出信号Ｓ２は、例えば射出部１１内に設けられたセンサ用アンプ３３により電圧値に変換される。そして電圧信号に変換された検出信号Ｖｓ２として監視装置１に供給される。
【００２３】
なお、ここでは検出信号Ｖｓ１，Ｖｓ２として２つの検出信号を示しているが、検出信号Ｖｓ１は金型内センサ３１からの検出信号の総称で、検出信号Ｖｓ２は射出部内センサ３２からの検出信号の総称である。金型内センサ３１として複数のセンサが配置される場合や射出部内センサ３２として複数のセンサが配置される場合も当然に想定される。
従って検出信号Ｖｓ１，Ｖｓ２は２系統のみの検出信号を示しているものではなく、金型内センサ３１と射出部内センサ３２のいずれの検出信号についても監視装置１に入力できることを示しているに過ぎない。
監視装置１にはｎチャネルの入力系が用意されており、ｎ系統の検出信号の同時入力が可能である。従って金型内センサ３１としてｎ個のセンサの検出信号Ｖｓ１を監視装置１に供給してもよいし、射出部内センサ３２としてのｎ個のセンサの検出信号Ｖｓ２を監視装置１に供給してもよい。さらに金型内センサ３１と射出部内センサ３２としてのそれぞれ１又は複数系統の検出信号Ｖｓ１，Ｖｓ２をｎチャネルに振り分けて監視装置１に供給してもよい。
監視装置１に対してどのような検出信号入力を行うかは、実際の射出成形装置２や金型１０の構造、種別、成形品、搭載センサ数、実行したい計測・監視の内容などに応じて適宜決められればよい。
また、図示していないが射出成形装置２の周辺機器、例えば冷却用の温調機や真空引き装置などに各種のセンサが設けられる場合もあり、それらのセンサの検出信号を監視装置１に供給することも想定されている。
【００２４】
監視装置１と成形制御部１２の間は各種の通信が可能とされる。図１では、通信の１つとして、成形制御部１２から監視装置１に対して各種のタイミング信号ＳＴＭが送信されること、及び監視装置１から成形制御部１２に対して通知信号ＳＩが送信されることを示している。
タイミング信号ＳＴＭの１つとしては、例えば射出成形の１サイクルの開始／終了タイミングを通知する信号がある。監視装置１は、タイミング信号ＳＴＭにより、１ショットの樹脂注入による１サイクルの成形期間を検知し、その間の各種検出信号のロギングや判定を行うことができる。
また他のタイミング信号ＳＴＭとしては、後述するように型締め期間の開始／終了のタイミングを示す信号や、工程の遷移タイミングを示す信号、或いは制御方式（速度制御、圧力制御）の切替タイミングを示す信号などが考えられる。
【００２５】
監視装置１からの通知信号ＳＩは各種の検出情報や判定情報の結果を通知する信号である。例えば成形不良等が推定される異常判定の際のアラーム通知や、検出信号波形の立ち上がりタイミング／立ち下がりタイミングの通知などの信号である。成形制御部１２は、これらの内容の通知信号ＳＩに応じて各種動作制御を行うことができる。
【００２６】
監視装置１による温度や圧力などの計測結果は、監視装置１と有線又は無線の通信経路ＵＳによって接続されたコンピュータ装置４により閲覧可能とされている。通信経路ＵＳは、例えばＬＡＮ（Local Area Network）ケーブルなどにより実現される。
コンピュータ装置４には、監視装置１による各種検出信号の計測について管理を行うための管理ソフトウェアがインストールされている。この管理ソフトウェアにより、作業員等はコンピュータ装置４のディスプレイを介して監視装置１による計測結果を閲覧可能とされている。
また、管理ソフトウェアを用いた設定により、作業員等は各種の数値設定を行うことができる。
さらに計測結果をコンピュータ装置４におけるＨＤＤ（Hard Disk Drive）やＳＳＤ（Solid State Disk）等の所定の記憶装置に収録させることが可能とされている。
【００２７】
図２は管理ソフトウェアによってコンピュータ装置４の画面に提示される管理画面９０の表示内容例を示している。図示のように管理画面９０には、各種センサによる検出信号の計測結果を波形により示すことが可能とされるとともに、各検出信号の所定の数値（例えばピーク値、積分値、立ち上がりタイミング値、立ち下がりタイミング値等）が示される。また作業者が各種設定入力を行うための操作子が用意されている。
【００２８】
＜２．監視装置の構成＞
図３は監視装置１の内部構成を示している。
監視装置１には、演算部２０、入力部２１、Ａ／Ｄ変換器２２、バッファ及びＩＦ部２３、メモリ部２４が設けられている。
【００２９】
入力部２１は、検出信号Ｖｓ１，Ｖｓ２についてｎチャネルの入力が可能とされる。図の例では８チャネル入力を想定し、入力チャネルをＩ１〜Ｉ８として示している。
各入力チャネルＩ１〜Ｉ８に入力される検出信号Ｖｓ１，Ｖｓ２は、上述のように専用アンプ３又はセンサ用アンプ３３で検出情報が電圧レベルに変換された信号である。
チャネルＩ１〜Ｉ８の全部又は一部に対して、検出信号Ｖｓ１又はＶｓ２が入力される。即ち金型内センサ３１や射出部内センサ３２として射出成形装置２に配備された１又は複数のセンサの検出信号を、同時に、それぞれ所要のチャネルに入力可能とされている。
【００３０】
Ａ／Ｄ変換器２２は、入力チャネル数と同数の同時入力が可能とされる。従って図の例では８チャネル入力のＡ／Ｄ変換器とされている。
Ａ／Ｄ変換器２２は、入力された各チャネルＩ１〜Ｉ８の検出信号について電圧値に応じたデジタルデータに変換し、バッファ及びＩＦ部２３に供給する。
【００３１】
バッファ及びＩＦ部２３は、各チャネルＩ１〜Ｉ８の検出信号の演算部２０への受け渡しや、演算部２０と外部機器（コンピュータ装置４や成形制御部１２）との通信データの送受信を行う部位を総括して示している。
例えばＡ／Ｄ変換器２２から出力される同時入力された複数チャネルの検出信号のデジタルデータ（後述する検出値Ｄｄｅｔ）は、バッファ及びＩＦ部２３で一時的にバファリングされながら各時点の検出情報として検出信号のサンプリング時点の時刻情報（後述する時間値Ｔｄｅｔ）とともに順次演算部２０に転送される。
また演算部２０からの通知信号ＳＩは、バッファ及びＩＦ部２３が端子ＴＭ２から成形制御部１２に送信する。また成形制御部１２からの各種のタイミング信号ＳＴＭは、端子ＴＭ１からバッファ及びＩＦ部２３に一旦取り込まれ、時刻情報とともに順次演算部２０に転送される。
また演算部２０とコンピュータ装置４の各種情報通信は、バッファ及びＩＦ部２３を介して、端子ＴＭ３（例えばＬＡＮコネクタ端子）に接続された通信経路ＵＳにより実行される。
【００３２】
演算部２０は例えばＲＯＭ、ＲＡＭ、ＣＰＵを有するマイクロコンピュータにより構成される。
本実施の形態では、演算部２０は、入力部２１の各入力チャネルに入力された各時点での検出信号値をログデータとしてメモリ部２４に記憶する処理を行う。
例えばＡ／Ｄ変換器２２でデジタル値とされた各チャネルＩ１〜Ｉ８の検出信号についてサンプル毎の値を記憶していく処理を行う。
また演算部２０は、射出成形装置２による監視期間内において設定された監視タイミング毎に、入力部２１に入力された検出信号値を用いて評価値の算出を行う。
さらに演算部２０は、算出した評価値を用いて射出成形状況の判定結果を求める処理を行う。また判定処理に応じた通知信号ＳＩの出力処理を行う。
これらの機能を有する演算部２０の具体的な処理例については後述する。
【００３３】
メモリ部２４は、例えばＲＯＭ、ワークメモリ、不揮発性メモリ等として演算部２０が使用できるメモリ領域を総括して示している。
メモリ部２４は、例えば演算部２０の処理によるログデータの記憶領域として用いられる。またメモリ部２４は、各種演算処理のワーク領域として用いられる。またメモリ部２４は、演算部２０の各種処理を実現するためのプログラムの格納領域としても用いられる。
【００３４】
＜３．コンピュータ装置の構成＞
図４はコンピュータ装置４の内部構成を示している。
コンピュータ装置４のＣＰＵ４１は、ＲＯＭ４２に記憶されているプログラム、または記憶部４８からＲＡＭ４３にロードされたプログラムに従って各種の処理を実行する。ＲＡＭ４３にはまた、ＣＰＵ４１が各種の処理を実行する上において必要なデータなども適宜記憶される。
ＣＰＵ４１、ＲＯＭ４２、及びＲＡＭ４３は、バス４４を介して相互に接続されている。このバス４４には、入出力インターフェース４５も接続されている。
入出力インターフェース４５には、キーボード、マウス、タッチパネルなどよりなる入力部４６、ＬＣＤ（Liquid Crystal Display）、ＣＲＴ（Cathode Ray Tube）、有機ＥＬ（Electroluminescence）パネルなどよりなるディスプレイ、並びにスピーカなどよりなる出力部４７、ＨＤＤやフラッシュメモリ装置などより構成される記憶部４８、端子ＴＭ３に接続された通信経路ＵＳを介した監視装置１との通信処理やインターネットを介した通信を行う通信部４９が接続されている。
【００３５】
本実施の形態では、ＣＰＵ４１は特に第１期間設定部４１ａ、第２期間設定部４１ｂ、積和演算部４１ｃ、単位空間情報設定部４１ｄとしての機能を持つ。
第１期間設定部４１ａは、監視開始時点を特定し、監視開始時点から所定期間を第１監視期間として設定する処理を行う。
また第２期間設定部４１ｂは、指定された分割数に基づいて、第１監視期間を複数の第２監視期間に分割する処理を行う。
さらに積和演算部４１ｃは、計測時点における良品製造時の検出信号と、第２監視期間の各々において経過時間に応じて設定された係数とを用いた積和演算を行う。
さらにまた単位空間情報設定部４１ｄは、第２監視期間における成形品の監視処理に用いる単位空間情報を、積和演算で求めた値を用いて設定する処理を行う。
これらの機能を有するＣＰＵ４１の具体的な処理例については後述する。
【００３６】
＜４．品質モニタリングシステムの概要＞
本実施の形態のコンピュータ装置４において実行する、品質モニタリングシステムにおける単位空間設定処理の概要を図５及び図６を用いて説明する。本実施の形態の単位空間設定処理は、１成形サイクル内で設定された監視対象期間（第２監視期間）毎に、検出信号と経過時間を用いた積和演算処理を行い、当該積和演算により算出した値を用いて単位空間情報を設定する処理である。単位空間情報は、成形品の良否判定のための基準となる評価値を算出する際に用いられる情報である。
【００３７】
図５Ａは金型内センサ３１又は射出部内センサ３２としてのセンサによって検出された検出信号の波形の例を示している。縦軸は検出値（Ｄｄｅｔ）、横軸は時間である。例えば実線の波形ＰＲは圧力センサの検出値、破線の波形ＴＰは金型内温度である。
【００３８】
これらは例えば１ショットの樹脂注入に応じた１成形サイクルにおける検出信号波形である。時点Ｔ０〜Ｔ１が１成形サイクルの期間である。この１成形サイクルには、例えば、金型１０の上型と下型を閉じる型締め、金型１０に対して射出部１１のシリンダにより樹脂材料を注入する射出、充填後の保圧、成形固化までの計量・冷却、型開き、成形品の突き出し等の各工程が含まれている。
【００３９】
コンピュータ装置４は、まず１成形サイクルの期間Ｔ０〜Ｔ１から所定期間（第１監視期間）を計測項目毎に設定する。計測項目としては、樹脂圧力、樹脂の流速、樹脂温度、金型表面温度等、成形品の品質を評価するために必要な様々な項目が考えられる。
そして、第１監視期間において設定した各監視タイミング（例えばＸ１，Ｘ２，Ｘ３）の検出信号を監視装置１から取得する。コンピュータ装置４は、当該検出信号から単位空間情報を設定し、当該単位空間情報を用いて良品判定のための評価値を算出する。
【００４０】
単位空間情報の算出に用いる値として、計測項目毎に設定した第１監視期間を分割した期間（第２監視期間）毎に検出信号を用いた積和演算を行うことで求めた積和値を用いることも考えられる。
例えば第１監視期間をＴｓ２〜Ｔｅ２とした場合、指定された分割数に基づいて第２監視期間α１〜α４を設定する。そして第２監視期間毎の積和値を積和演算により算出し、当該積和値を用いて単位空間情報を設定する。
【００４１】
ここで、第２監視期間における積和演算処理の詳細について説明する。
図６Ａには、或る計測項目の検出信号の波形の例として、波形ＧＰ１及び波形ＧＰ２が示されている。波形ＧＰ１と波形ＧＰ２は同じ計測項目において検出された検出信号の波形である。図の例では、波形ＧＰ１を良品から検出された波形とし（以下、波形ＧＰ１を良品波形ＧＰ１とも表記する）、波形ＧＰ２を不良品から検出された波形とする（以下、波形ＧＰ２を不良品波形ＧＰ２とも表記する）。図では、Ｔｓ０〜Ｔｅ０までの期間を第２監視期間として設定している。ここでは、計測項目の計測開始時点Ｔ０から１秒経過した時点をＴｓ０とし、Ｔ０から２秒経過した時点をＴｅ０として設定する。
【００４２】
図の例では、第２監視期間の計測開始時点Ｔｓ０から０．２秒毎に計測時点（Ａ１〜Ａ５）を設定している。コンピュータ装置４は、各時点（Ａ１〜Ａ５）で算出された検出値Ｄｄｅｔと計測間隔０．２秒との積により求めた値を累積加算することで、第２監視期間毎の積和値ＳＶ１を算出する。図６Ｂでは、良品波形ＧＰ１の積和値ＳＶ１が示されている。このような積和値ＳＶ１を用いることで単位空間情報を設定することができる。
【００４３】
しかしながら、上記場合においては、ある時点毎の検出値Ｄｄｅｔの値が異なることにより、当該時点毎の積の値は異なる場合であっても、第２監視期間全体としての積の値の総和である積和値ＳＶ１の値が同じになってしまうことがある。
例えば、波形の形状が異なる良品波形ＧＰ１と不良品波形ＧＰ２との第２監視期間における或る時点（Ａ１〜Ａ５）毎の積の値やその総和である積和値が図６Ｂ及び図６Ｃに示されている。図６Ｂは良品波形ＧＰ１のデータであり、図６Ｃは不良品波形ＧＰ２のデータである。
図６Ｂ及び図６Ｃによると、良品波形ＧＰ１と不良品波形ＧＰ２では、時点Ａ１，Ａ２，Ａ４，Ａ５において、それぞれの積の値が異なっている。しかし、Ａ１〜Ａ５の積和値ＳＶ１は、両波形とも５０．５０であり同じ値となる。
このように、検出値Ｄｄｅｔと計測間隔の積の総和により積和値ＳＶ１を算出する場合は、異なる波形であっても違いが数値として表れないことがある。即ち、成形品における良品と不良品の違いが数値として判別できない場合がある。
【００４４】
そこで本実施の形態では、計測項目の検出信号と時間を用いた積和演算を行う際に、第２監視期間毎に経過時間に応じて設定された係数を乗じることで、経過時間毎の重み付けを行い、積和値ＳＶ２を算出することとしている。本実施の形態では、積和値ＳＶ２を用いて単位空間情報を設定する。
【００４５】
図６Ｄ及び図６Ｅは、経過時間毎の重み付けを行った場合の積の値及びその積和値ＳＶ２を示すものである。図６Ｄは良品波形ＧＰ１のデータであり、図６Ｅは不良品波形ＧＰ２のデータである。
ここでは、検出値Ｄｄｅｔと計測間隔の積に加えて、実際の経過時間を重み付けの係数として設定し、当該係数をさらに乗算することで積和値ＳＶ２を算出する。
これにより、検出値Ｄｄｅｔと計測間隔との積の値が同じであっても、計測時点によっては異なる値として算出することが可能となる。
例えば図６Ｂの時点Ａ１と図６Ｃの時点Ａ５を比較してみると、検出値Ｄｄｅｔと計測間隔との積の値は１０．００で同じである。しかし、図６Ｄの時点Ａ１と図６Ｅの時点Ａ５を比較してみると、重み付け係数を乗じた値は、時点Ａ１で１０．００、時点Ａ５で１８．００というように異なる値として算出される。即ち、重み付け係数を乗じることで、検出値Ｄｄｅｔと計測間隔の積が同じであっても計測時点が異なるものであることが明確となる。
本実施の形態においては、実際の経過時間を重み付けとしているため、重み付け係数の値は、前記第２監視期間内での時間の経過に伴い大きくなる値となる。例えば、Ａ１→Ａ２→Ａ３→Ａ４→Ａ５と時間が進行するにつれ、重み付け係数の値も１．０→１．２→１．４→１．６→１．８と変化する。
【００４６】
このような係数を乗じた積の値を累積加算して積和値ＳＶ２を算出することで、波形の異なるデータであることが数値として表れやすくなる。
例えば、良品波形ＧＰ１と不良品波形ＧＰ２においては、重み付け係数のない状態では、図６Ｂと図６Ｃに示すように、波形が異なっていても積和値ＳＶ１は共に５０．５０であり、数値としての違いは生じない。一方で、経過時間による重み付け係数を用いて積和値ＳＶ２を算出すると、図６Ｄに示す良品波形ＧＰ１における数値は７０．８０となり、図６Ｅに示す不良品波形ＧＰ２における数値は７０．６０となる。即ち、良品波形ＧＰ１と不良品波形ＧＰ２では数値として０．２０の差が生じることとなる。これにより、良品波形ＧＰ１と不良品波形ＧＰ２の波形が異なることが数値として確認することができる。
本実施の形態では、コンピュータ装置４は、算出した積和値ＳＶ２を用いて単位空間情報を設定し、当該単位空間情報を用いて良品判定のための評価値を算出する。
【００４７】
本実施の形態では、評価値を算出する手法として、ＭＴ（Maharanobis Taguchi）法を用いる。
設備の製造条件パラメータに多種多様の計測項目及び計測タイミングが含まれており、かつ、これらが相互に影響し合う関係にある場合には、一つの項目が所望しない方向に変化してしまう可能性を考慮し、製造条件パラメータに含まれる全ての項目を総合的に監視することが望ましい。
このような場合には、各次元における相関を考慮したうえで、相互に影響し合う複数の項目を一次元化する手法であるＭＴ法を用いるのが好適である。
ＭＴ法においては、基準となる項目群にどれだけ似ているかを示す評価値として、マハラノビス距離を２乗した値を用いる。マハラノビス距離の詳細については後述する。
【００４８】
監視装置１は、コンピュータ装置４で設定された単位空間情報を用いてマハラノビス距離を２乗した値を算出し、当該値を用いて成形品の良否判定を行う。
【００４９】
＜５．単位空間情報設定処理＞
本実施の形態の品質モニタリングシステムにおける単位空間情報設定処理について、図５乃至図８を用いて説明する。
単位空間設定処理は、後述する量産監視処理を監視装置１が実行する際の第１監視期間及び複数の第２監視期間を設定し、第２監視期間毎に成形品の品質評価に用いるための情報である単位空間情報を算出する処理である。単位空間情報設定処理は、コンピュータ装置４のＣＰＵ４１により行われる。
【００５０】
まずＣＰＵ４１は、図７のステップＳ１０１において、良品の１成形サイクルにおける計測項目毎の検出信号のデータを記憶部４８から取得する。ＣＰＵ４１は、例えば１００サイクル分の良品の検出信号データを取得する。当該検出信号データは、ＣＰＵ４１が、データの計測を行った監視装置１から取得し、記憶部４８に記憶したものである。
【００５１】
次にＣＰＵ４１は、ステップＳ１０２において、監視期間設定処理を行う。即ち、ＣＰＵ４１は、１成形サイクル内の一部の期間を第１監視期間として設定する。これにより、品質の評価に有用である期間を第１監視期間として計測項目毎に設定することができる。
第１監視期間の設定方法は多様に考えられる。例えば図５Ｂに示す時点Ｔｓ１〜Ｔｅ１の型締め期間を第１監視期間に設定することが考えられる。この期間は、型締めから型開きまでの複数の工程が行われる期間である。即ち、金型１０が閉じられている期間のみを第１監視期間としている。監視装置１は図４Ｂの波形の型締め期間信号をタイミング信号ＳＴＭの１つとして成形制御部１２から取得することで、この時点Ｔｓ１〜Ｔｅ１の第１監視期間の検出値Ｄｄｅｔの値を取得する。
【００５２】
或いは図５Ｃに示すように、波形の立ち上がりを判定する閾値ｔｈＤＨ及び立ち下がりを判定する閾値ｔｈＤＬを設定し、圧力センサの波形ＰＲを監視する。上述のように圧力センサの検出信号の立ち上がりタイミングは、キャビティに樹脂材料が充満した直後のタイミングとなる。そこで圧力センサの検出値Ｄｄｅｔを監視し、これが閾値ｔｈＤＨ以上となった時点を圧力制御の開始タイミング（Ｔｓ２）と判断できる。圧力制御の終了タイミングは金型１０を開く前のタイミングであるが、これを例えば検出値Ｄｄｅｔの値や値の変化から判断し、例えば検出値Ｄｄｅｔが閾値ｔｈＤＬ以下になった時点を終了タイミング（Ｔｅ２）とすることも可能である。これにより時点Ｔｓ２〜Ｔｅ２を第１監視期間として設定することができる。
キャビティに樹脂材料が充満した直後のタイミングは、検出値Ｄｄｅｔの単位時間あたりの立ち上がりの幅が大きい。そのため、閾値ｔｈＤＨを設定しておけば、その時点を基準として、さまざまなタイミングを検出することが可能となる。
例えば、閾値ｔｈＤＨ以上となった時点よりも所定時間前の時点を検出することで、樹脂材料が充満されたタイミングをある程度正確に検出することが可能である。つまり、閾値ｔｈＤＨ以上となった時点から、樹脂材料が充満されるまでに掛かる時間を逆算することで、樹脂注入開始時点を特定することが可能となる。
従って、第１監視期間の開始タイミングを閾値ｔｈＤＨ以上となった時点から、成形サイクルにおける樹脂注入開始時点を設定することができるようになる。これにより、成形制御部１２から樹脂注入開始時点の情報を受信することなく、受信した検出信号データのみから樹脂注入開始時点を特定することができる。
なお、基準として設定できる時点は、検出値Ｄｄｅｔの単位時間あたりの変動の幅が大きいものであればよく、例えば金型１０を開く前のタイミングであって検出値Ｄｄｅｔが閾値ｔｈＤＬ以下になった時点を基準とすることも可能である。
また、これらの基準となる時点を用いて、他の計測項目における様々な時点を特定することも可能である。
【００５３】
また、ゲートシール期間を第１監視期間として設定することもできる。この場合、射出成形装置２に取り付けられた金型１０や使用する樹脂材料等により、ゲートシール期間の具体的な時間を把握することが可能である。そこで、あらかじめ波形の立ち上がりを判定する閾値ｔｈＤＨのみを設定しておき、圧力センサの検出値Ｄｄｅｔが閾値ｔｈＤＨ以上となった時点を圧力制御の開始タイミングとすることで、ゲートシール期間が経過した時点を第１監視期間の終了タイミングとして設定することもできる。
【００５４】
図５Ｄは、時点Ｔｓ３〜Ｔｅ３を射出成形装置２において樹脂射出の速度制御が行われる期間を第１監視期間としている。即ち注入速度を監視しながらシリンダによる注入動作を制御する期間を第１監視期間として設定する。
例えば成形制御部１２は、樹脂が金型１０のキャビティに充満するまでは、注入樹脂の速度制御を行い、充満後に圧力制御に切り換えるような制御を行う。その場合に、樹脂射出の速度制御については、速度制御期間のみの評価値を得たい場合もある。
このような場合、例えば波形の立ち上がりを判定する閾値ｔｈＤＨを設定し、圧力センサの波形ＰＲを監視する。圧力センサの検出信号を考えると、その立ち上がりタイミングは、キャビティに樹脂材料が充満した直後のタイミングとなる。充満後にさらに樹脂が注入されることで樹脂が圧縮されて圧力が高くなるためである。
圧力センサの検出値Ｄｄｅｔは充満直後に急激に上昇する。そこで圧力センサの検出値Ｄｄｅｔを監視し、これが閾値ｔｈＤＨ以上となった時点を充満タイミング（時点Ｔｅ３）と判断し、時点Ｔｓ３〜Ｔｅ３の期間を第１監視期間として設定することができる。
監視装置１は図５Ｄの波形の速度制御期間信号をタイミング信号ＳＴＭの１つとして成形制御部１２から取得することで、この時点Ｔｓ３〜Ｔｅ３の期間の検出値Ｄｄｅｔの値を取得することができる。
【００５５】
以上では第１監視期間の計測として３つの例を挙げたが、例えば上述した各工程の１つの期間、樹脂流入が進行している状態の期間、成形品の取り出しから次の１サイクルの開始までの期間など、対象とする期間は各種考えられる。
また、計測項目毎の第１監視期間は共通していても良いし、異なる期間であってもよい。つまり、第１監視期間は、計測項目毎に、良品判定の際に効果的な評価値が算出できる期間を設定することができる。
【００５６】
ステップＳ１０２にて第１監視期間の設定処理が完了すると、ＣＰＵ４１は、ステップＳ１０３に処理を進め、分割数の設定情報を取得する。分割数の数値は、ユーザの入力部４６を介した入力操作により指定される。分割数の指定方法は多様に考えられ、過去に入力された分割数の数値を指定してもよいし、予め分割数の数値が固定して設定されていてもよい。
【００５７】
第１監視期間を設定した後、ＣＰＵ４１は、ステップＳ１０４において、指定された分割数に基づいて、第２監視期間を設定する処理を行う。
第２監視期間とは、後述する量産監視処理における良品判定を行う際に用いられる積和値ＳＶ２を算出するために設けられた期間のことをいう。第２監視期間は、計測項目毎の第１監視期間のそれぞれについて設定することができる。
例えば分割数が４と指定された場合、図５Ａ及び図５Ｃでは、圧力制御期間Ｔｓ２〜Ｔｅ２を第１監視期間とした圧力センサの波形ＰＲにおいて、４つの領域に分割されるようにα１，α２，α３，α４が第２監視期間として設定される。ここで、監視期間開始時点Ｔｓ２，分割の境界点となるＸ１，Ｘ２，Ｘ３，監視期間終了時点Ｔｅ２は均等間隔になるように設けられる。樹脂圧力のみならず、樹脂の流速や樹脂温度等の他の計測項目についても、同様に設定される。
なお、分割の境界点の設定には様々な態様が考えられる。例えば、予め良品判定を行うために有用なタイミングを設定しておき、境界点を優先的にそのタイミングに振り分けることも考えられる。また、良品判定に有用なタイミングの付近に重点的に境界点を設定することもできる。
【００５８】
第２監視期間を設定した後、ＣＰＵ４１は、ステップＳ１０５において、図８Ａに示すような、ステップＳ１０１にて取得した良品製造時の検出信号のデータを用いて、設定した第２監視期間毎の検出信号データ群を抽出する。
そしてＣＰＵ４１は、ステップＳ１０６において、第２監視期間毎に係数情報を取得する。当該係数情報は、積和値ＳＶ２を算出するにあたり用いる係数の情報である。ＣＰＵ４１は、記憶部４８からあらかじめ記憶しておいた係数情報を取得してもよいし、監視装置１等の外部機器に必要に応じて係数情報の取得要求を行ってもよい。また、ＣＰＵ４１が、設定された第２監視期間に応じた係数値を算出することとしてもよい。
【００５９】
ＣＰＵ４１は、ステップＳ１０７において、積和値ＳＶ２を算出する処理を行う。積和値ＳＶ２は、計測項目の検出信号と経過時間、重み付けの係数を用いた積和演算を行うことにより算出される。例えばＣＰＵ４１は、第２監視期間内の各時点で検出した検出値と各時点間における検出間隔との積に、重み付け係数を乗じた値を積和値ＳＶ２として算出する。
【００６０】
そしてＣＰＵ４１は、ステップＳ１０８において、算出した積和値ＳＶ２の際２監視期間毎の平均値や標準偏差を求めることで、それぞれの検出信号データの正規化を行う。
その後、ＣＰＵ４１は、正規化した検出信号データ群から相関係数行列を算出し、算出した相関係数行列の逆行列を求める。このとき、良品と判定するための基準値が用いられる。基準値は{（計測値）−（平均値）}／（標準偏差）により算出する。
上記逆行列と任意の検出信号データの二次形式により、そのデータのマハラノビス距離（Ｄ値）を求めることが可能となる。
ＭＴ法においては、算出したＤ値を２乗した値（Ｄ２値）を用いて製造した成形品の良品判定が行われる。これは基準データ群の、Ｄ値の２乗平均を変量の数にかかわらず１前後に調整するための処置である。Ｄ２値は、良品データとの乖離を数値化したものであり、その数値が１に近いほど良品であることを示している。
このようにして本実施の形態における単位空間情報が設定される。
【００６１】
その後、ＣＰＵ４１は、ステップＳ１０９において、基準値を含む単位空間の設定情報を監視装置１に送信することで、図７の単位空間情報設定処理を完了する。
【００６２】
なお、単位空間情報は、第２監視期間における積和値ＳＶ２のみならず、設定した監視タイミング毎の検出信号データ群に基づいて設定することも可能である。
この場合、ＣＰＵ４１は、ステップＳ１０２で第１監視期間を設定した後、ステップＳ１０３で指定された分割数に基づいて、ステップＳ１０４において監視タイミングを設定する処理を行う。
ここで、監視タイミングとは、成形品の製造工程の内の良否判定を行うタイミングをいう。監視装置１は、成形品を量産する前に、あらかじめ監視タイミング毎の良品判定のための単位空間情報を取得しておき、当該単位空間情報に基づいて良品判定を行う。
【００６３】
例えば分割数が４と指定された場合、図５Ａ及び図５Ｃでは、圧力制御期間Ｔｓ２〜Ｔｅ２を監視期間とした圧力センサの波形ＰＲが、４つの領域に分割されるようにＸ１，Ｘ２，Ｘ３が監視タイミングとして設定される。ここで、監視期間開始時点Ｔｓ２，Ｘ１，Ｘ２，Ｘ３，監視期間終了時点Ｔｅ２は均等間隔になるように設けられる。樹脂圧力のみならず、樹脂の流速や樹脂温度等の他の計測項目についても、同様に監視タイミングが設定される。
また、監視タイミングの設定には様々な態様が考えられる。例えば、予め良品判定を行うために有用なタイミングを設定しておき、分割数を優先的にそのタイミングに振り分けることも考えられる。また、良品判定に有用なタイミングの付近に重点的に監視タイミングを設定することもできる。
【００６４】
その後、ＣＰＵ４１は、ステップＳ１０５において、図８Ａに示すような、ステップＳ１０１にて取得した良品製造時の検出信号のデータを用いて、設定した監視タイミング毎の検出信号データ群を抽出する。
そしてＣＰＵ４１は、ステップＳ１０８において、抽出した検出信号データ群の監視タイミング毎の平均値や標準偏差を求めることで、それぞれの検出信号データの正規化を行うことで、単位空間情報を設定する。
【００６５】
＜６．量産監視処理＞
本実施の形態における量産監視処理について、図８及び図９を用いて説明する。
量産監視処理は、単位空間情報設定処理において設定した単位空間情報に基づいて成形品の良品判定を行うものである。量産監視処理は、監視装置１の演算部２０により行われる。
なお、以下の処理は、例えば樹脂成形の１成形サイクル実行中にリアルタイムで評価値（Ｄ２値）演算及び判定を行う例とする。また演算部２０は、複数の入力チャネルＩ１〜Ｉ８の検出信号について、計測項目毎にそれぞれ並行して（実際の処理としては時分割でもよい）、図９の処理を行う。
【００６６】
まず演算部２０は、図９のステップＳ２０１において、監視装置１から良品の１成形サイクルにおける計測項目毎の検出信号のデータを取得する。そしてステップＳ２０２において、演算部２０は、図８Ｂに示すような製品毎の各計測項目における第２監視期間毎の検出信号を抽出する。
【００６７】
その後、演算部２０は、ステップＳ２０３において、コンピュータ装置４から取得した良品の単位空間情報を抽出する。そして演算部２０は、ステップＳ２０４において、抽出した各計測項目における第２監視期間で算出された積和値ＳＷ２と当該単位空間情報を用いて、図８Ｂに示すようにＭＴ法におけるマハラノビス距離（Ｄ値）を算出する。そしてマハラノビス距離を２乗することでＤ２値を算出する。
【００６８】
そして演算部２０はステップＳ２０５で、Ｄ２値を用いた良否判定を行う。例えば単位空間情報から導かれる閾値ｔｈＥＨ，ｔｈＥＬを用いて、Ｄ２値が、ｔｈＥＨ≧Ｄ２値≧ｔｈＥＬとなっているか否かを確認する。
もし、この判定条件を満たしていればＯＫ判定としてステップＳ２０５からＳ２０６に進み、判定ＯＫの通知信号ＳＩを成形制御部１２に送信し、またコンピュータ装置４に判定ＯＫを通知する。
なおこの段階で判定ＯＫという判定結果情報を、今回の成形サイクルの識別情報（何サイクル目かの情報）とともにログデータとして記憶させる。
【００６９】
その後、演算部２０は、ステップＳ２０７において、監視を継続するかを判定し、継続する場合はステップＳ２０１に処理を進め、以下同様の処理を行う。また係属しない場合は、図９の処理を終了する。
【００７０】
一方、ｔｈＥＨ≧Ｄ２値≧ｔｈＥＬという判定条件を満たしていなければ、エラー判定としてステップＳ２０５からＳ２０８に進み、判定エラーの通知信号ＳＩ（アラーム信号）を成形制御部１２に送信し、またステップＳ２０９において、コンピュータ装置４に判定エラーを通知する。
なおこの段階で判定エラー（成形不良）という判定結果情報を、今回の成形サイクルの識別情報とともにメモリ部２４にログデータとして記憶させてもよい。
【００７１】
以上のように演算部２０の処理が行われることで、１成形サイクル内の指定期間におけるＤ２値の生成や、Ｄ２値に基づいた良否判定が行われる。
【００７２】
＜７．まとめ及び変形例＞
以上の実施の形態のコンピュータ装置４（演算処理装置）は、射出成形装置２に備えられたセンサから検出され監視装置１に入力される１又は複数の計測項目における検出信号に基づく積分値を用いて、良品判定のための単位空間情報を生成する。また、コンピュータ装置４は、監視開始時点（Ｔｓ）を特定し、監視開始時点（Ｔｓ）から所定期間（Ｔｓ〜Ｔｅ）を第１監視期間として設定する第１期間設定部４１ａと、指定された分割数に基づいて、第１監視期間を複数の第２監視期間（α１、…αｎ）に分割する第２期間設定部４１ｂと、計測時点における良品製造時の検出信号と、第２監視期間の各々において経過時間に応じて設定された係数とを用いた積和演算を行う（図７のステップＳ１０７）積和演算部４１ｃと、第２監視期間における成形品の監視処理に用いる単位空間情報を、積和演算により求めた値（積和値ＳＶ２）を用いて設定する単位空間情報設定部４１ｄと、を備えている。
即ち、少なくとも監視開始時点及び監視期間の分割数を設定することにより、第２監視期間を自動的に設定する。また、それぞれの第２監視期間ごとに、成形品の監視処理に用いる単位空間情報を、取得した良品製造時の積和値ＳＶ２に基づいて設定する。
ここで、計測項目の検出信号と時間を用いた積和演算を行う際に、第２監視期間毎に経過時間に応じて設定された係数を用いることで、経過時間毎の積の値に重み付けが行われる。
これにより、検出値Ｄｄｅｔと計測間隔の積の値の総和が同じだが、異なる波形である検出信号データごとの違いを数値として表すことが可能となる。これにより、良品波形と不良品波形の差分がより明確になり、良品判定の精度を向上させることができる。このような積和値を用いることで良品判定のための、より有用な単位空間情報を設定することが可能となる。
以上の処理を行うことで、射出成形装置２の成形サイクルの動作や成形品の良否判定のための準備（設定）をより的確に容易に行うことができる。
なお、本実施の形態では、第２監視期間の重み付け係数の値が時間軸に沿って徐々に増加していく例について説明したが、重み付け係数の値は、時間軸に沿って徐々に低下することとしてもよい。つまり時間軸に沿って重み付け係数を変化させることで、良品判定に有用な積和値を算出することが可能となる。
【００７３】
また、積和値ＳＶ２の算出に用いられる係数の値は、第２監視期間内での時間の経過に伴い大きくなる値とすることが考えられる。
これにより、第２監視期間内での所定期間ごとの積和値の算出にあたり、異なる係数を用いた重み付けが行われる。これにより、良品判定を行うにあたって、より一層有用な単位空間情報を設定することが可能となる。
また、第２監視期間の終了地点に近いほど係数を大きな値とすることで、より良い単位空間情報を設定することができ、より精度の高い用品判定を行うことができる
【００７４】
また 単位空間情報はマハラノビス距離を２乗した値を算出するために用いられる情報であることが考えられる。即ち、単位の異なる多次元の各計測項目の値を、共通の一次元としての単位に置き換えるための単位空間情報を設定する。
これにより、成形品の良否判定において、計測項目の全てが規格を充足していたとしても、成形品全体として不良品の可能性がある製品を発見することができる。従って、成形品の良否判定の精度をより一層向上させることができる。
【００７５】
またコンピュータ装置４の第１期間設定部４１ａは、ゲートシール期間を監視期間として設定する処理を行う。
成形品の良否判定のために用いる検出信号を金型内の樹脂圧力とした場合等においては、監視タイミングはゲートシール期間中に設定することが望ましい。なぜなら、ゲートシール期間は、金型内に充填された樹脂が固化するまでの期間であるため、成形品の品質の評価に有用な部分であるが、固化した後に期間については、あまり意味がない場合があるためである。
計測項目のうち樹脂圧力の検出信号を用いた成形品の良品判定を行うにあたり、品質評価に有用な期間であるゲートシール期間を監視期間として設定することで、成形品の評価に与える影響が大きい時点を監視タイミングとすることができる。これにより、一層精度の高い良品判定を行うことが可能となる。
【００７６】
またコンピュータ装置４の第１期間設定部４１ａは、設定された所定の閾値（ｔｈＤＨ）に検出信号が到達した時点を用いて監視開始時点（Ｔｓ）を特定する処理を行う。
圧力センサの検出信号を考えると、その立ち上がりタイミングは、金型内に成形材料が充満した直後のタイミングとなる。そこで当該立ち上がりのタイミングを監視開始時点として特定する。
これにより、ユーザが具体的な監視開始時間を設定しなくても、閾値を設定しておくだけで監視開始時点を特定することができる。従って、ユーザの利便性の向上を図ることができる。
【００７７】
またコンピュータ装置４の第１期間設定部４１ａは、設定された所定の閾値（ｔｈＤＨ）に検出信号が到達した時点よりも所定時間前の時点を監視開始時点（Ｔｓ）として特定する処理を行う。即ち、圧力センサの検出信号の立ち上がりタイミングよりも所定期間前から成形品の監視を開始する。
キャビティに樹脂材料が充満した直後のタイミングは、検出値Ｄｄｅｔの単位時間あたりの立ち上がりの幅が大きい。そのため、樹脂材料が充満されたタイミングをある程度正確に検出することが可能である。
これにより、成形制御部１２から樹脂注入開始時点の情報を受信することなく、受信した検出信号データのみから樹脂注入開始時点を特定することができる。
【００７８】
また本発明は上記した具体例に限定されるべきものではなく、多様な変形例が考えられる。
射出成形装置２の構成は多様に考えられる。監視装置１及びコンピュータ装置４の構成も同様である。
図７の処理を監視装置１の演算部２０で行ってもよい。この場合においては、監視装置１が請求項でいう演算処理装置となる。
図７に示したコンピュータ装置４のＣＰＵ４１の処理例も一例に過ぎず、具体的な処理例は多様に考えられる。また図８に示した監視装置１の演算部２０の処理例についても同様である。
射出成形装置２に搭載されるセンサ（金型内センサ３１や射出部内センサ３２）としては多様に考えられる。即ち監視装置１は、圧力センサによる射出部１１内や金型１０内における樹脂材料の圧力計測や、温度センサの検出信号に基づく成形材料や金型表面温度の計測以外にも多様な検出信号の計測に適用できる。例えば光センサ等の検出信号に基づく成形材料の流速計測、赤外線センサ等の検出信号に基づくフローフロント計測（例えば成形樹脂がキャビティ内の所定位置に到達するまでの時間の計測）、位置センサ等の検出信号に基づく型閉時における金型同士の位置ズレ量の計測（型開き量の計測）等、射出成形に係る他の計測を行う場合の各種センサの検出信号についても好適に適用できる。
【００７９】
＜８．プログラム及び記憶媒体＞
本発明の実施の形態のプログラムは、コンピュータ装置４におけるＣＰＵ４１（マイクロコンピュータ等の演算処理装置）に第１期間設定部４１ａ、第２設定部４１ｂ、積和演算部４１ｃ、単位空間情報設定部４１ｄとしての機能を実行させるプログラムである。
【００８０】
実施の形態のプログラムは、射出成形装置に備えられたセンサから検出され監視装置に入力される１又は複数の計測項目における検出信号に基づく積分値を用いて、良品判定のための単位空間情報を生成する演算処理装置に、監視開始時点を特定し、前記監視開始時点から所定期間を第１監視期間として設定する第１期間設定処理と、指定された分割数に基づいて、前記第１監視期間を複数の第２監視期間に分割する第２期間設定処理と、計測時点における良品製造時の前記検出信号と、前記第２監視期間の各々において経過時間に応じて設定された係数とを用いた積和演算を行う積和演算処理と、前記第２監視期間における成形品の監視処理に用いる単位空間情報を、前記積和演算で求めた値を用いて設定する単位空間情報設定処理と、を実行させるためのプログラムである。即ち図７の処理を実行させるプログラムである。
【００８１】
このようなプログラムにより本実施の形態のコンピュータ装置４の製造が容易となる。
そしてこのようなプログラムはコンピュータ装置４等の機器に内蔵されている記憶媒体や、ＣＰＵを有するマイクロコンピュータ内のＲＯＭ等に予め記憶しておくことができる。あるいはまた、半導体メモリ、メモリカード、光ディスク、光磁気ディスク、磁気ディスクなどのリムーバブル記憶媒体に、一時的あるいは永続的に格納（記憶）しておくことができる。またこのようなリムーバブル記憶媒体は、いわゆるパッケージソフトウェアとして提供することができる。
また、このようなプログラムは、リムーバブル記憶媒体からパーソナルコンピュータ等にインストールする他、ダウンロードサイトから、ＬＡＮ、インターネットなどのネットワークを介してダウンロードすることもできる。
【００８２】
またこのような実施の形態の監視装置１に実行させるプログラムがコンピュータ装置４にインストールされることで、コンピュータ装置４が監視装置１の機能を備えるようにすることもできる。
例えば専用アンプ３とコンピュータ装置４をコネクタで直接接続する。専用アンプ３を介してコンピュータ装置４には１又は複数の入力チャネルの検出信号が供給されるようにする。そしてコンピュータ装置４において当該プログラムを含むソフトウェアが起動されることで、図６の処理をコンピュータ装置４で実行する。即ちセンサ（３１，３２）の検出信号を取得し、射出成形装置２による１成形サイクルの期間内の一部の期間とされた指定期間における検出信号値（検出値Ｄｄｅｔ）を用いて評価値の算出を行い、評価値を用いて射出成形状況の判定結果を求める処理を行う。これにより、パーソナルコンピュータ等のコンピュータ装置４を用いて監視装置１を実現できる。
【符号の説明】
【００８３】
１…監視装置、２…射出成形装置、４…コンピュータ装置、４１ａ…第１期間設定部、４１ｂ…第２期間設定部、４１ｃ…積和演算部、４１ｄ…単位空間情報設定部
【図１】
2019059083.tif 000003
【図２】
2019059083.tif 000004
【図３】
2019059083.tif 000005
【図４】
2019059083.tif 000006
【図５】
2019059083.tif 000007
【図６】
2019059083.tif 000008
【図７】
2019059083.tif 000009
【図８】
2019059083.tif 000010
【図９】
2019059083.tif 000011